(57)【要約】【課題】放送されたコンテンツの記録に要する記録容量を低減させる放送記録システムを提供する。【解決手段】  テレビ放送局４０は、放送用コンテンツと同様のコンテンツをコンテンツ配信センタ６０により配信できるコンテンツ群の中から特定する格納情報を、放送用コンテンツに付加して放送し、記録装置５０の格納情報記録部２０２は、受信した放送用コンテンツに付加されている格納情報をハードディスク１０４へ記録し、要求部２０３は記録された格納情報により特定される配信用コンテンツを配信するようにコンテンツ配信センタ６０へ要求し、コンテンツ配信センタ６０は配信要求を受け付け配信用コンテンツを記録装置５０へ配信し、記録装置５０は配信されたコンテンツを再生する。【選択図】    図１６
2004159318.tif 000002
【特許請求の範囲】
【請求項１】
放送装置と記録装置と配信装置とを有する放送記録システムであって、
コンテンツは少なくとも映像と音声とを含み、格納情報は、所定のコンテンツの映像および音声と内容が同じである映像および音声を前記配信装置により配信するための配信用コンテンツを、前記配信装置により配信できる配信用コンテンツ群の中から特定する情報であり、
前記放送装置は、前記所定のコンテンツの映像および音声と内容が同じである映像および音声を放送するための放送用コンテンツに、前記格納情報を付加する付加手段と、
前記格納情報が付加された放送用コンテンツを放送する放送手段とを備え、
前記記録装置は、前記格納情報が付加された放送用コンテンツを、前記放送装置から受信する受信手段と、
前記受信された放送用コンテンツに付加されている格納情報を、記録領域へ記録する格納情報記録手段と、
前記記録された格納情報により特定される配信用コンテンツを配信するように、前記配信装置へ要求する要求手段とを備え、
前記配信装置は、前記要求手段による前記配信用コンテンツの配信要求を受けた場合に、当該配信用コンテンツを前記記録装置へ配信し、前記記録装置は、前記所定のコンテンツと同じ内容である放送用コンテンツの放送後に、前記所定のコンテンツと同じ内容である前記配信用コンテンツの配信をうけて再生すること
を特徴とする放送記録システム。
【請求項２】
コンテンツは少なくとも映像と音声とを含み、格納情報は、所定のコンテンツの映像および音声と内容が同じである映像および音声を配信装置により配信するための配信用コンテンツを、前記配信装置により配信できる配信用コンテンツ群の中から特定する情報であり、
前記所定のコンテンツの映像および音声と内容が同じである映像および音声を放送するための放送用コンテンツに前記格納情報を付加して放送する放送装置から、当該格納情報が付加された放送用コンテンツを受信する受信手段と、
前記受信された放送用コンテンツに付加されている格納情報を、記録領域へ記録する格納情報記録手段と、
前記記録された格納情報により特定される配信用コンテンツを配信するように前記配信装置へ要求する要求手段とを備え、
前記配信装置から前記要求に応じて配信される配信用コンテンツを再生すること
を特徴とする記録装置。
【請求項３】
前記放送用コンテンツおよび前記配信用コンテンツは、前記所定のコンテンツと著作物として同じ内容を持ち、前記放送用コンテンツおよび前記配信用コンテンツの少なくとも一方は、前記所定のコンテンツと映像品質が異なること
を特徴とする請求項２に記載の記録装置。
【請求項４】
前記記録装置は、さらに、
前記受信手段により受信された放送用コンテンツを記録するか否かを判断する判断手段と、
放送用コンテンツを記録すると判断された場合に、前記受信された放送用コンテンツを前記記録領域へ記録するコンテンツ記録手段とを備えること
を特徴とする請求項２に記載の記録装置。
【請求項５】
前記判断手段は、前記受信された放送用コンテンツに格納情報が付加されている場合には、当該放送用コンテンツを記録しないと判断し、前記受信された放送用コンテンツに格納情報が付加されていない場合には、当該放送用コンテンツを記録すると判断すること
を特徴とする請求項４に記載の記録装置。
【請求項６】
前記格納情報は、さらに、当該格納情報が特定する配信用コンテンツが前記配信装置により配信される場合の映像品質を示す情報を含み、
前記判断手段は、前記受信された放送用コンテンツの映像品質が前記格納情報により示される映像品質よりも高い場合には、前記受信された放送用コンテンツを記録すると判断し、前記受信された放送用コンテンツの映像品質が前記格納情報により示される映像品質よりも低い場合には、前記受信された放送用コンテンツを記録しないと判断すること
を特徴とする請求項４に記載の記録装置。
【請求項７】
前記判断手段は、前記記録領域の記録容量の残量が、前記受信された放送用コンテンツの記録に要する記録容量よりも多い場合に、前記受信された放送用コンテンツを記録すると判断し、前記残量が、前記受信された放送用コンテンツの記録に要する記録容量よりも少ない場合に、前記受信された放送用コンテンツを記録しないと判断すること
を特徴とする請求項４の記録装置。
【請求項８】
前記格納情報記録手段は、前記判断手段において放送用コンテンツを記録すると判断された場合には、前記放送用コンテンツに付加されている格納情報を記録しないこと
を特徴とする請求項４に記載の記録装置。
【請求項９】
前記格納情報記録手段は、前記コンテンツ記録手段による前記受信された放送用コンテンツの記録中に、前記記録領域の記録容量の残量が前記受信された放送用コンテンツの未記録部分の記録に要する記録容量以下となった場合、記録中の放送用コンテンツに付加されている格納情報を前記記録領域へ記録すること
を特徴とする請求項８に記載の記録装置。
【請求項１０】
前記格納情報は、さらに、前記配信装置が、当該格納情報により特定される配信用コンテンツの配信を始める公開期日を示す情報を含み、
前記記録装置は、さらに、
前記受信された放送用コンテンツを前記記録領域へ記録するコンテンツ記録手段と、
前記記録された放送用コンテンツを、前記格納情報により示される公開期日以後に、前記記録領域から消去するコンテンツ消去手段とを備えること
を特徴とする請求項２に記載の記録装置。
【請求項１１】
前記格納情報は、さらに、前記配信装置が、当該格納情報により特定される配信用コンテンツの配信を終了する期日を示す情報を含み、
前記要求手段は、前記格納情報により示される期日以前に、前記格納情報により特定される配信用コンテンツを配信するように前記配信装置へ要求し、
前記記録装置は、さらに、前記要求に応じて前記配信装置から配信された配信用コンテンツを前記記録領域へ記録するコンテンツ記録手段を備えること
を特徴とする請求項２に記載の記録装置。
【請求項１２】
前記記録装置は、さらに、
前記受信された放送用コンテンツから、前記格納情報が含む一部の情報を取得できない場合に、前記配信装置へ前記格納情報の配信を要求する格納情報要求手段を備え、
前記格納情報記録手段は、前記要求に応じて前記配信装置から配信された格納情報を前記記録領域へ記録すること
を特徴とする請求項２に記載の記録装置。
【請求項１３】
前記受信手段は、第１コンテンツの映像および音声と内容が同じである映像および音声を配信するための配信用コンテンツを特定する第１格納情報が付加された、当該第１コンテンツの映像および音声と内容が同じである映像および音声を放送するための放送用コンテンツを放送装置から受信し、
前記格納情報記録手段は、受信された放送用コンテンツに付加されている前記第１格納情報を前記記録領域へ記録し、
前記受信手段は、さらに、前記格納情報記録手段において前記第１格納情報が記録された後に、前記第１コンテンツに係る放送用コンテンツと放送時刻が重複する放送用コンテンツであって、第２コンテンツの映像および音声と内容が同じである映像および音声を配信するための配信用コンテンツを特定する第２格納情報が付加された、当該第２コンテンツの映像および音声と内容が同じである映像および音声を放送するための放送用コンテンツを他の放送装置から受信し、
前記格納情報記録手段は、さらに、受信された放送用コンテンツに付加されている前記第２格納情報を前記記録領域へ記録すること
を特徴とする請求項２に記載の記録装置。
【請求項１４】
前記放送装置は、第１コンテンツの映像および音声と内容が同じである映像および音声を配信するための配信用コンテンツを特定する第１格納情報が付加された、当該第１コンテンツの映像および音声と内容が同じである映像および音声を放送するための放送用コンテンツと、第２コンテンツの映像および音声と内容が同じである映像および音声を配信するための配信用コンテンツを特定する第２格納情報が付加された、当該第２コンテンツの映像および音声と内容が同じである映像および音声を放送するための放送用コンテンツとを多重化して放送しており、
前記格納情報記録手段は、前記第１格納情報と、前記第２格納情報とを前記記録領域へ記録すること
を特徴とする請求項２に記載の記録装置。
【請求項１５】
コンテンツは少なくとも映像と音声とを含み、格納情報は所定のコンテンツの映像および音声と内容が同じである映像および音声を配信装置により配信するための配信用コンテンツを、前記配信装置により配信できる配信用コンテンツ群の中から特定する情報であり、
前記所定のコンテンツの映像および音声と内容が同じである映像および音声を放送するための放送用コンテンツに、前記格納情報を付加する付加手段と、
前記格納情報が付加された放送用コンテンツを放送する放送手段と
を備えることを特徴とする放送装置。
【請求項１６】
前記付加手段は、
前記所定のコンテンツに係る配信用コンテンツが、前記配信装置において配信可能か否かを判断する配信判断手段と、
配信可能であると判断する場合に、前記所定のコンテンツに係る配信用コンテンツを特定する格納情報を生成し、当該生成した格納情報を前記放送用コンテンツに付加する格納情報生成手段とを含むこと
を特徴とする請求項１５に記載の放送装置。
【請求項１７】
コンテンツは少なくとも映像と音声とを含み、格納情報は、所定のコンテンツの映像および音声と内容が同じである映像および音声を配信装置により配信するための配信用コンテンツを、前記配信装置により配信できる配信用コンテンツ群の中から特定する情報であり、
当該格納情報が付加された、前記所定のコンテンツの映像および音声と内容が同じである映像および音声を放送するための放送用コンテンツを、放送装置から受信する受信ステップと、
前記受信された放送用コンテンツに付加されている格納情報を、記録領域へ記録する格納情報記録ステップと、
前記記録された格納情報により特定される配信用コンテンツを配信するように前記配信装置へ要求する要求ステップと、
前記配信装置から前記要求に応じて配信される配信用コンテンツを再生する再生ステップと
の各ステップをコンピュータに実行させる記録プログラム。
【発明の詳細な説明】
【技術分野】
【０００１】
本発明は、放送されたコンテンツを記録し、視聴する放送記録システムに関し、特にコンテンツを記録する記録メディアの使用容量を低減する技術に関する。
【背景技術】
【０００２】
テレビ放送等の視聴者は、放送時間帯に受信されたコンテンツをリアルタイムに視聴するだけではなく、コンテンツを記録装置により記録し、視聴者の都合のよいときに再生し視聴することができる。
特許文献１には、ハードディスク等の記録媒体に、コンテンツをデジタルデータで記録し再生する技術が開示されている。
【０００３】
図１９は、従来の記録装置１００の構成を示す図である。記録装置１００は、受信部１０１、スイッチ１０２、出力部１０３、ハードディスク１０４、及びＣＰＵ１０５の各機能ブロックを備える。
受信部１０１は、受信したコンテンツをＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）ストリームに変換し出力する。例えば映像入力がＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のアナログ信号である場合は、受信部１０１内のチューナが目的のコンテンツに同調し、ＭＰＥＧ２エンコーダによりＭＰＥＧ２ストリームに変換し出力する。あるいは、映像入力がＭＰＥＧ２トランスポートストリーム(以下、ＴＳ：Ｔｒａｎｓｐｏｒｔ  Ｓｔｒｅａｍ)にＭＰＥＧ２ストリーム形式のコンテンツを多重化したデジタル信号である場合は、受信部１０１内のデジタルチューナが入力したＴＳから目的のＭＰＥＧ２ストリームを抜き出し出力する。
【０００４】
スイッチ１０２は、録画動作時には録画対象のコンテンツを受信部１０１から入力しハードディスク１０４に出力し、再生動作時には再生対象のコンテンツをハードディスク１０４から読み出し出力部１０３に出力する。
出力部１０３は、ＭＰＥＧ２ストリームを取得し、記録装置１００に接続されたテレビへ出力する。このとき接続された機器がＮＴＳＣ方式のテレビであればＮＴＳＣ信号にデコードして出力する。
【０００５】
ハードディスク１０４は、録画の際はスイッチ１０２から入力されたＭＰＥＧ２ストリームを記録領域に記録し、また再生の際は再生要求されたコンテンツのＭＰＥＧ２ストリームを読み出しスイッチ１０２に出力する。
ＣＰＵ１０５は、ユーザ操作や、ユーザが事前に設定した録画予約により要求されたコンテンツの録画動作、再生動作などを実行するめに、受信部１０１、スイッチ１０２、出力部１０３、ハードディスク１０４の動作を制御する。ユーザ操作や、録画予約により録画動作が指示された場合、ＣＰＵ１０５は、受信部１０１にユーザの所望するコンテンツを取得させ、スイッチ１０２に受信部１０１から入力されたＭＰＥＧ２ストリームをハードディスク１０４に出力させ、ハードディスク１０４に入力されたＭＰＥＧ２ストリームを記録させる。
【０００６】
ユーザ操作により再生動作が指示された場合、ＣＰＵ１０５は、ハードディスク１０４にユーザの所望するコンテンツのＭＰＥＧ２ストリームを読み出させ、スイッチ１０２にハードディスク１０４から入力されたＭＰＥＧ２ストリームを出力部１０３へ出力させ、出力部１０３に入力されたＭＰＥＧ２ストリームをデコードさせ、得られる映像・音声の信号を外部のテレビへ出力させる。録画と並行して、ハードディスク１０４に記録済みのコンテンツを再生する場合は、これらの指示が同時に出され、スイッチ１０２は受信部１０１から入力されたＭＰＥＧ２ストリームをハードディスク１０４へ出力すると同時に、ハードディスク１０４から入力されたＭＰＥＧ２ストリームを出力部１０３へ出力する。
【０００７】
以上の構成を備えた記録装置は、ユーザの所望するコンテンツを記録し、ユーザの都合のよい時刻に再生することができる。
特にハードディスクやＤＶＤ−ＲＡＭ等の大容量の記録メディアを用いた記録装置が普及するにつれて、情報量が多く高画質なデジタルデータでコンテンツを記録することが可能となり、これらの記録装置のユーザは多くのコンテンツを記録し、後日視聴する傾向が強くなりつつある。このような、多くのコンテンツを記録したいというユーザの要求に答えるために、記録装置の大容量化が求められている。
【特許文献１】特表２００２−５２１９７８号公報（第１３頁、第１図）
【発明の開示】
【発明が解決しようとする課題】
【０００８】
しかしながら、記録媒体を大容量化することは、記録装置の高価格化を招くこととなる。かといって、圧縮率を高めてコンテンツを記録することにより多くのコンテンツを記録しようとすると、映像品質が低下するという問題がある。
本発明はかかる問題に鑑み、コンテンツを記録する記録メディアの使用容量を従来よりも低減できる放送記録システムを提供することを第１の目的とする。
【０００９】
また、本発明は上記放送記録システムにおいて有用な記録装置、及び放送装置を提供することを第２の目的とする。
さらに、本発明は上記記録装置としてコンピュータを機能させる記録プログラムを提供することを第３の目的とする。
【課題を解決するための手段】
【００１０】
上記第１の目的を達成するために、本発明に係る放送記録システムは、放送装置と記録装置と配信装置とを有する放送記録システムであって、コンテンツは少なくとも映像と音声とを含み、格納情報は、所定のコンテンツの映像および音声と内容が同じである映像および音声を前記配信装置により配信するための配信用コンテンツを、前記配信装置により配信できる配信用コンテンツ群の中から特定する情報であり、前記放送装置は、前記所定のコンテンツの映像および音声と内容が同じである映像および音声を放送するための放送用コンテンツに、前記格納情報を付加する付加手段と、前記格納情報が付加された放送用コンテンツを放送する放送手段とを備え、前記記録装置は、前記格納情報が付加された放送用コンテンツを、前記放送装置から受信する受信手段と、前記受信された放送用コンテンツに付加されている格納情報を、記録領域へ記録する格納情報記録手段と、前記記録された格納情報により特定される配信用コンテンツを配信するように、前記配信装置へ要求する要求手段とを備え、前記配信装置は、前記要求手段による前記配信用コンテンツの配信要求を受けた場合に、当該配信用コンテンツを前記記録装置へ配信し、前記記録装置は、前記所定のコンテンツと同じ内容である放送用コンテンツの放送後に、前記所定のコンテンツと同じ内容である前記配信用コンテンツの配信をうけて再生する。
【００１１】
上記第２の目的を達成するために本発明に係る記録装置は、コンテンツは少なくとも映像と音声とを含み、格納情報は、所定のコンテンツの映像および音声と内容が同じである映像および音声を配信装置により配信するための配信用コンテンツを、前記配信装置により配信できる配信用コンテンツ群の中から特定する情報であり、前記所定のコンテンツの映像および音声と内容が同じである映像および音声を放送するための放送用コンテンツに前記格納情報を付加して放送する放送装置から、当該格納情報が付加された放送用コンテンツを受信する受信手段と、前記受信された放送用コンテンツに付加されている格納情報を、記録領域へ記録する格納情報記録手段と、前記記録された格納情報により特定される配信用コンテンツを配信するように前記配信装置へ要求する要求手段とを備え、前記配信装置から前記要求に応じて配信される配信用コンテンツを再生する。
【００１２】
また、本発明に係る放送装置は、コンテンツは少なくとも映像と音声とを含み、格納情報は所定のコンテンツの映像および音声と内容が同じである映像および音声を配信装置により配信するための配信用コンテンツを、前記配信装置により配信できる配信用コンテンツ群の中から特定する情報であり、前記所定のコンテンツの映像および音声と内容が同じである映像および音声を放送するための放送用コンテンツに、前記格納情報を付加する付加手段と、前記格納情報が付加された放送用コンテンツを放送する放送手段とを備える。
【００１３】
上記第３の目的を達成するために、本発明に係る記録プログラムは、コンテンツは少なくとも映像と音声とを含み、格納情報は、所定のコンテンツの映像および音声と内容が同じである映像および音声を配信装置により配信するための配信用コンテンツを、前記配信装置により配信できる配信用コンテンツ群の中から特定する情報であり、当該格納情報が付加された、前記所定のコンテンツの映像および音声と内容が同じである映像および音声を放送するための放送用コンテンツを、放送装置から受信する受信ステップと、前記受信された放送用コンテンツに付加されている格納情報を、記録領域へ記録する格納情報記録ステップと、前記記録された格納情報により特定される配信用コンテンツを配信するように前記配信装置へ要求する要求ステップと、前記配信装置から前記要求に応じて配信される配信用コンテンツを再生する再生ステップとの各ステップをコンピュータに実行させる。
【発明の効果】
【００１４】
上記の構成により、本発明に係る放送記録システムは、所定のコンテンツに係る配信用コンテンツの配信を受けるための情報を、放送時に前記所定のコンテンツに係る放送用コンテンツと共に記録装置へ提供することができる。記録装置は、放送により取得した放送用コンテンツに付加された格納情報を記録し、その後、記録した格納情報を用いて、放送された放送用コンテンツと同様の内容の配信用コンテンツの配信を受けることができ、記録装置のユーザは、当該配信された配信用コンテンツを視聴することができる。
【００１５】
従って、放送用コンテンツと同様の内容であって、且つ、同程度の映像品質である配信用コンテンツの配信を、配信装置からうけることで、放送された放送用コンテンツを記録する場合に比べて記録領域の使用量を低減しつつ、コンテンツの映像品質を低下させることなく視聴する事ができる。
上記の構成により、本発明に係る記録装置は、
放送により取得した放送用コンテンツに付加された格納情報を記録し、その後、記録した格納情報を用いて、放送された放送用コンテンツと同様の内容の配信用コンテンツの配信を受け、当該配信用コンテンツを視聴することができる。
【００１６】
従って、放送用コンテンツを記録する場合に比較して、記録領域の使用容量を大幅に削減することができる。さらに、放送用コンテンツの放送開始後暫く時間が経過してから、ユーザにより記録を指示された場合にも、記録装置は格納情報を記録し、記録した格納情報を用いて配信装置から配信用コンテンツの配信を受けることができるので、当該記録装置のユーザは、当該配信用コンテンツを先頭から視聴することができる。
【００１７】
また、前記放送用コンテンツおよび前記配信用コンテンツは、前記所定のコンテンツと著作物として同じ内容を持ち、前記放送用コンテンツおよび前記配信用コンテンツの少なくとも一方は、前記所定のコンテンツと映像品質が異なるとしてもよい。
これによって、放送用コンテンツと映像品質は異なるが、著作物として同じ内容を持つ配信用コンテンツの配信をうけることができる。
また、前記記録装置は、さらに、前記受信手段により受信された放送用コンテンツを記録するか否かを判断する判断手段と、放送用コンテンツを記録すると判断された場合に、前記受信された放送用コンテンツを前記記録領域へ記録するコンテンツ記録手段とを備えるとしてもよい。
【００１８】
これによって、格納情報のみならず、放送された放送用コンテンツも記録領域に記録することができる。
従って、放送装置により放送された放送用コンテンツと、配信手段により配信される配信用コンテンツとを比較して、何れかに好ましい条件がある場合、好ましい条件のコンテンツを視聴する機会を逃すことがない。
【００１９】
また、前記判断手段は、前記受信された放送用コンテンツに格納情報が付加されている場合には、当該放送用コンテンツを記録しないと判断し、前記受信された放送用コンテンツに格納情報が付加されていない場合には、当該放送用コンテンツを記録すると判断するとしてもよい。
これによって、記録装置は、放送された放送用コンテンツから格納情報を取得できない場合には、当該放送用コンテンツを記録領域へ記録することができる。
【００２０】
従って、放送用コンテンツから格納情報を取得できる場合に、記録装置が放送用コンテンツを記録しないことにより記録領域の使用容量を低減しつつ、放送用コンテンツから格納情報を取得できない場合にも、記録装置が放送用コンテンツを記録することによりユーザが確実にコンテンツを視聴することができる。
また、前記格納情報は、さらに、当該格納情報が特定する配信用コンテンツが前記配信装置により配信される場合の映像品質を示す情報を含み、前記判断手段は、前記受信された放送用コンテンツの映像品質が前記格納情報により示される映像品質よりも高い場合には、前記受信された放送用コンテンツを記録すると判断し、前記受信された放送用コンテンツの映像品質が前記格納情報により示される映像品質よりも低い場合には、前記受信された放送用コンテンツを記録しないと判断するとしてもよい。
【００２１】
これによって、放送装置により放送された放送用コンテンツと、配信手段により配信される配信用コンテンツとを比較して、放送用コンテンツの映像品質がより優れる場合は、映像品質が優れた放送用コンテンツを記録し後日視聴することができ、一方、配信用コンテンツの映像品質がより優れる場合は、格納情報を記録することにより、放送用コンテンツを記録する場合に比べて記録領域の使用容量を低減しつつ、映像品質が優れた配信用コンテンツを後日視聴することができる。
【００２２】
また、前記判断手段は、前記記録領域の記録容量の残量が、前記受信された放送用コンテンツの記録に要する記録容量よりも多い場合に、前記受信された放送用コンテンツを記録すると判断し、前記残量が、前記受信された放送用コンテンツの記録に要する記録容量よりも少ない場合に、前記受信された放送用コンテンツを記録しないと判断するとしてもよい。
【００２３】
これによって、放送用コンテンツの記録に要する記録容量が、記録領域に残されている場合は、放送用コンテンツを記録することができる。
従って、配信用コンテンツに比べて、放送用コンテンツにより好ましい条件がある場合、例えば、放送用コンテンツと、配信用コンテンツとを比較して、放送用コンテンツの映像品質がより優れる等の条件下で、映像品質が優れている放送用コンテンツをできる限り記録することができ、且つ、記録領域に放送用コンテンツを記録する容量がなくとも、映像品質の劣る配信用コンテンツを配信により取得し視聴することができる。
【００２４】
また、前記格納情報記録手段は、前記判断手段において放送用コンテンツを記録すると判断された場合には、前記放送用コンテンツに付加されている格納情報を記録しないとしてもよい。
これによって、放送用コンテンツと格納情報とが共に記録されることによる冗長さを省き、記録領域の使用量を最小限に抑えることができる。
【００２５】
また、前記格納情報記録手段は、前記コンテンツ記録手段による前記受信された放送用コンテンツの記録中に、前記記録領域の記録容量の残量が前記受信された放送用コンテンツの未記録部分の記録に要する記録容量以下となった場合、記録中の放送用コンテンツに付加されている格納情報を前記記録領域へ記録するとしてもよい。
これによって、放送用コンテンツの記録中に、記録領域の残量がなくなり記録できなくなっても、記録した格納情報を用いて配信用コンテンツの配信を受けて、後日視聴することができる。
【００２６】
また、前記格納情報は、さらに、前記配信装置が、当該格納情報により特定される配信用コンテンツの配信を始める公開期日を示す情報を含み、前記記録装置は、さらに、前記受信された放送用コンテンツを前記記録領域へ記録するコンテンツ記録手段と、前記記録された放送用コンテンツを、前記格納情報により示される公開期日以後に、前記記録領域から消去するコンテンツ消去手段とを備えるとしてもよい。
【００２７】
これによって、放送日から公開期日までに間があり、格納情報の記録時に配信用コンテンツがオンデマンド型サービスにより提供されていない場合に、格納情報に加えて放送用コンテンツを記録することにより、公開期日以前には記録した放送用コンテンツを視聴することができる。さらに、公開期日以後は記録した放送用コンテンツを消去することにより、記録領域の使用容量を抑えることができる。
【００２８】
従って、放送用コンテンツおよび配信用コンテンツの何れも視聴できない状態となることを防ぎつつ、可能な限り早い時点で記録領域の使用容量を削減することができる。
また、前記格納情報は、さらに、前記配信装置が、当該格納情報により特定される配信用コンテンツの配信を終了する期日を示す情報を含み、前記要求手段は、前記格納情報により示される期日以前に、前記格納情報により特定される配信用コンテンツを配信するように前記配信装置へ要求し、前記記録装置は、さらに、前記要求に応じて前記配信装置から配信された配信用コンテンツを前記記録領域へ記録するコンテンツ記録手段を備えるとしてもよい。
【００２９】
これによって、配信装置による配信用コンテンツの配信サービスが終了する以前に、配信用コンテンツの配信をうけ記録用域に記録することができる。
従って、記録領域に格納情報のみを記録しているために、配信装置による配信用コンテンツの配信サービスが終了した後に、配信用コンテンツが視聴できなくなることを避けつつ、記録領域の使用量を抑える期間を可能な限り長くすることができる。
【００３０】
また、前記記録装置は、さらに、前記受信された放送用コンテンツから、前記格納情報が含む一部の情報を取得できない場合に、前記配信装置へ前記格納情報の配信を要求する格納情報要求手段を備え、前記格納情報記録手段は、前記要求に応じて前記配信装置から配信された格納情報を前記記録領域へ記録するとしてもよい。
これによって、格納情報が正確に取得できない場合に、格納情報を再度取得しなおすことができる。
【００３１】
従って、格納情報を取得する機会を増やし、記録領域の使用量を低減する可能性を増大させることができる。
また、前記受信手段は、第１コンテンツの映像および音声と内容が同じである映像および音声を配信するための配信用コンテンツを特定する第１格納情報が付加された、当該第１コンテンツの映像および音声と内容が同じである映像および音声を放送するための放送用コンテンツを放送装置から受信し、前記格納情報記録手段は、受信された放送用コンテンツに付加されている前記第１格納情報を前記記録領域へ記録し、前記受信手段は、さらに、前記格納情報記録手段において前記第１格納情報が記録された後に、前記第１コンテンツに係る放送用コンテンツと放送時刻が重複する放送用コンテンツであって、第２コンテンツの映像および音声と内容が同じである映像および音声を配信するための配信用コンテンツを特定する第２格納情報が付加された、当該第２コンテンツの映像および音声と内容が同じである映像および音声を放送するための放送用コンテンツを他の放送装置から受信し、前記格納情報記録手段は、さらに、受信された放送用コンテンツに付加されている前記第２格納情報を前記記録領域へ記録するとしてもよい。
【００３２】
これによって、放送用コンテンツに付加された第１格納情報のみを記録することで、放送用コンテンツの放送時間中つねに放送用コンテンツを記録する必要がなくなり、重複する時間帯に、他のチャンネルで放送される放送用コンテンツに付加された第２格納情報を記録することができる。
従って、格納情報の記録は放送用コンテンツの放送中の一部の時間帯に処理可能であるので、複数のチューナを備えない記録装置において、同一の時間帯に放送される複数の放送用コンテンツを後日視聴したい場合にも、各放送用コンテンツを放送する放送局のチャンネルを順次選局し、それぞれの放送用コンテンツに付加された格納情報を記録し、後日それぞれの格納情報を用いて配信用コンテンツの配信を受け視聴することができ、ユーザの利便性が向上する。
【００３３】
また、前記放送装置は、第１コンテンツの映像および音声と内容が同じである映像および音声を配信するための配信用コンテンツを特定する第１格納情報が付加された、当該第１コンテンツの映像および音声と内容が同じである映像および音声を放送するための放送用コンテンツと、第２コンテンツの映像および音声と内容が同じである映像および音声を配信するための配信用コンテンツを特定する第２格納情報が付加された、当該第２コンテンツの映像および音声と内容が同じである映像および音声を放送するための放送用コンテンツとを多重化して放送しており、前記格納情報記録手段は、前記第１格納情報と、前記第２格納情報とを前記記録領域へ記録するとしてもよい。
【００３４】
これによって、複数の放送用コンテンツが多重化されたデジタル放送等の放送波を受信し、多重化されているそれぞれの放送用コンテンツに対応する格納情報を記録することができる。
従って、記録装置が、複数の放送用コンテンツを同時に記録する高い処理能力を備えていない場合にも、複数の格納情報を記録し、後日それぞれの格納情報に体操する配信用コンテンツの配信を受け視聴することができる。
【００３５】
上記構成により、本発明に係る放送装置は、所定のコンテンツに係る配信用コンテンツの配信を受けるための情報を、放送時に前記所定のコンテンツに係る放送用コンテンツと共に記録装置へ提供することができる。
従って、当該放送装置による放送を受信した記録装置において、放送用コンテンツに付加された格納情報を記録し、その後、記録した格納情報を用いて、放送された放送用コンテンツと同様の内容の配信用コンテンツの配信を受け、当該配信用コンテンツを視聴することができる。さらに、放送用コンテンツと同様の内容であって、且つ、同程度の映像品質である配信用コンテンツが、配信装置により配信されることで、記録装置が放送用コンテンツを記録する場合に比べて記録装置の記録領域の使用量を低減する可能性がある。
【００３６】
また、前記付加手段は、前記所定のコンテンツに係る配信用コンテンツが、前記配信装置において配信可能か否かを判断する配信判断手段と、配信可能であると判断する場合に、前記所定のコンテンツに係る配信用コンテンツを特定する格納情報を生成し、当該生成した格納情報を前記放送用コンテンツに付加する格納情報生成手段とを含むとしてもよい。
【００３７】
これによって、放送しようとする放送用コンテンツと同様の内容の配信用コンテンツが、配信装置により配信される場合に、放送用コンテンツに格納情報を付加して放送することができる。
上記構成により、本発明に係る記録プログラムは、放送により取得した放送用コンテンツに付加されている格納情報を記録し、その後、記録した格納情報を用いて、放送用コンテンツと同様の内容の配信用コンテンツの配信を受け、当該配信用コンテンツを再生することができる。
【００３８】
従って、放送用コンテンツを記録する場合に比較して、記録領域の使用容量を大幅に削減することができる。
【発明を実施するための最良の形態】
【００３９】
以下、本発明に係る放送記録システムの実施の形態について、図を用いて詳細に説明する。
（実施の形態１）
＜概要＞
本実施の形態１に係る放送記録システム１では、ケーブルテレビ（以下、ＣＡＴＶ）網を介して、放送と、オンデマンド配信とによりコンテンツが提供され、ＣＡＴＶの契約者であるユーザは提供されるコンテンツを記録装置に記録することができる。
【００４０】
ここで放送されるコンテンツには、オンデマンド配信で当該コンテンツの配信を要求するための識別子が付加されており、記録装置においてコンテンツを記録する代わりに識別子を記録し、再生時には識別子を用いてコンテンツの配信をうけることで、記録装置において記録領域の使用量を大幅に低減することができる。
＜構成＞
１．１．システム構成
図１は、本発明の実施の形態１に係る放送記録システム１の構成を示す図である。
【００４１】
放送記録システム１は、放送局１０と、記録装置３０とがＣＡＴＶ網を介して接続されている。
放送局１０は、放送スケジュールに従って、定められた時間帯にコンテンツを放送する放送型サービスと、記録装置３０からの配信要求に応じて、要求元の記録装置３０へコンテンツを配信するオンデマンド型サービスとによりコンテンツを提供する。放送局１０は、放送型サービスによりコンテンツを放送した後に、放送したコンテンツと同様の内容のコンテンツをオンデマンド型サービスによって提供する。
【００４２】
以下、本明細書においては、同様の内容を持つ著作物であれば同じコンテンツであるとする。例えば、放送されるコンテンツと、配信されるコンテンツとが著作物として同じ内容を持つならば、それぞれのコンテンツに挿入されたコマーシャルメッセージや、解像度、ビットレート等に相違がある場合にも、放送されるコンテンツと配信されるコンテンツとは同一であるとする。
【００４３】
記録装置３０は、具体的には、ＣＡＴＶチューナを内蔵するＨＤＤレコーダであって、サービス契約を結んだユーザ宅に設置されＣＡＴＶ網を介して放送局１０から放送型サービス、及びオンデマンド型サービスによるコンテンツの提供を受け、当該コンテンツを記録、再生することができる。
１．２．放送局１０
以下に放送局１０の詳細な構成について説明する。
【００４４】
放送局１０は、放送型サービスによりコンテンツを提供する装置である放送装置１１と、オンデマンド型サービスによりコンテンツを提供する配信装置１２とを備える。
放送装置１１は、内部に放送コンテンツ蓄積部１３、付加部１４、および送出部１５の各機能ブロックを備え、放送スケジュールに従って定められた時間帯に、ＭＰＥＧ２に規定される方式で放送対象のコンテンツの映像、音声、および制御情報をＴＳに多重化して放送する。このとき放送装置１１は、放送するコンテンツと同じコンテンツを配信装置１２により配信可能であるならば、配信装置１２において当該コンテンツを特定する情報を含んだ格納情報もＴＳに多重化して放送する。
【００４５】
放送コンテンツ蓄積部１３は、放送型サービスにより放送するコンテンツをＭＰＥＧ２ストリーム形式で蓄積している大容量の記録装置である。ここで蓄積されているコンテンツは、コマーシャルメッセージの挿入がすみ放送可能な状態で蓄積されている。
付加部１４は、内部に配信確認部１６、情報生成部１７、および多重化部１８の各機能ブロックを含み、放送するコンテンツと同じコンテンツがオンデマンド型サービスにより提供される場合、放送するコンテンツを伝送するＴＳに、コンテンツに対応した格納情報を多重化する。
【００４６】
配信確認部１６は、放送しようとするコンテンツの放送日及び放送時刻を配信装置１２の配信情報提示部２４に通知し、放送するコンテンツと同じコンテンツがオンデマンド型サービスにより配信可能であるか否かを示す通知を受ける。配信確認部１６は、配信情報提示部２４から配信可能であることを通知された場合、配信情報提示部２４から通知と共にコンテンツのコンテンツＩＤ、公開期日、および有効期限を取得し、これらの各情報を情報生成部１７へ出力する。
【００４７】
情報生成部１７は、配信確認部１６から取得した情報を用いて後述するフォーマットの格納情報を生成する。
多重化部１８は、送出部１５において放送するために、放送コンテンツ蓄積部１３から読み出されたＭＰＥＧ２ストリームと、情報生成部１７において生成した格納情報とを多重化したＴＳ３００を生成する。
【００４８】
送出部１５は、多重化部１８により出力されたＴＳを、放送スケジュールに従って定められた時刻にＣＡＴＶ網へ送出する。
図２は、本実施の形態１に係る格納情報と、当該格納情報が多重化されたＴＳ３００のデータ構造を示す図である。
ＴＳ３００には、ＴＳの制御情報であるＭＰＥＧ２−ＴＳヘッダ３０１、格納情報を伝送するデータストリーム３０２、および、コンテンツの映像および音声を伝送するＭＰＥＧ２ストリーム３０３が多重化されている。
【００４９】
データストリーム３０２には、コンテンツＩＤ３０５、公開期日情報３０６、および有効期限情報３０７からなる格納情報と、データヘッダ３０４とが含まれる。
コンテンツＩＤ３０５は、ＴＳに多重化されているコンテンツと同じコンテンツを、配信装置１２において一意に特定する識別子である。公開期日情報３０６は、コンテンツＩＤ３０５により特定されるコンテンツを、配信装置１２がオンデマンド型サービスによって提供を開始する日時を示す情報である。有効期限情報３０７は、コンテンツＩＤ３０５により特定されるコンテンツのオンデマンド型サービスによる提供を、配信装置１２が終了する日時を示す情報である。
【００５０】
データストリーム３０２は、コンテンツの放送時間中に格納情報を繰り返し伝送するため、コンテンツの放送中であれば、格納情報はＴＳから任意のタイミングで取得することができる。
尚、ＭＰＥＧ２−ＴＳヘッダ、およびＭＰＥＧ２ストリームに関しては、ＭＰＥＧ２により規定された公知の技術であり、ここでは詳細な説明を省略する。
【００５１】
配信装置１２は、コンテンツ配信部２１、格納情報配信部２２、配信コンテンツ蓄積部２３、および配信情報提示部２４から構成される。
コンテンツ配信部２１は、記録装置３０から図３のａに示す視聴要求メッセージを受け付け、当該視聴要求メッセージのコンテンツＩＤにより特定されるコンテンツを、配信コンテンツ蓄積部２３から読み出し要求元の記録装置３０へ配信する。
【００５２】
格納情報配信部２２は、配信装置１２から図３のｂに示す付加情報取得メッセージを受け付け、当該付加情報取得メッセージのコンテンツＩＤを図４に示す配信情報テーブルから検索し、該当するコンテンツの公開期日、および有効期限の各情報を取得し、要求元の記録装置３０へ送信する。
配信コンテンツ蓄積部２３は、オンデマンド型サービスにより配信可能なＭＰＥＧ２ストリーム形式のコンテンツを蓄積している大容量の記録装置である。配信コンテンツ蓄積部２３はさらに、記録領域に配信情報テーブルを保持している。
【００５３】
図４は、配信コンテンツ蓄積部２３が保持する配信情報テーブルのデータ構造を示す図である。配信情報テーブルには、オンデマンド型サービスによって配信されるコンテンツの数と同数の配信情報が登録されている。
各配信情報は、各コンテンツと１対１に対応し、放送日時、コンテンツＩＤ、公開期日、および有効期限から構成される。
【００５４】
放送日時は、放送装置１１により、配信するコンテンツと同じコンテンツが放送される日時である。コンテンツＩＤは、対応するコンテンツを一意に識別する識別子である。公開期日、および有効期限は、コンテンツの配信を開始する日時と、配信を終了する日時である。既にオンデマンド型サービスによって配信が開始されている場合は、公開期日は設定されない。また、配信の期間を限らない場合には、有効期限は設定されない。
【００５５】
配信情報提示部２４は、配信確認部１６から、放送するコンテンツの放送日および放送時刻を受け付け、配信情報テーブルから放送日時が一致する配信情報を検索する。該当する配信情報がある場合、対象のコンテンツが配信対象であることを通知し、当該配信情報のコンテンツＩＤ、公開期日、および有効期限を、配信確認部１６へ出力する。
１．３．記録装置３０
次に、記録装置３０の構成について説明する。
【００５６】
図５は、本発明の実施の形態１に係る記録装置３０の構成を示す図である。
記録装置３０は、受信部１０１、スイッチ１０２、出力部１０３、ハードディスク１０４、ＣＰＵ１０５、格納情報記録部１０６、および要求部１０７から構成される。従来の記録装置１００と同様の構成要素には同一の符号を付し、それらの説明を省略する。
受信部１０１は、放送局１０から放送、および配信されたＴＳを受信する機能ブロックであって、具体的にはＣＡＴＶチューナ１０８と、ＴＳデコーダ１０９とからなる。
【００５７】
ＣＡＴＶチューナ１０８は、ＣＡＴＶ網から受信した信号の中からユーザ操作や、録画予約により指定されるチャンネルのＴＳを選択して抜き出す。
ＴＳデコーダ１０９は、ＣＡＴＶチューナ１０８により取得されたＴＳから、多重化されているＭＰＥＧ２ストリームと、データストリームとを分離し、ＭＰＥＧ２ストリームをスイッチ１０２へ、データストリームを格納情報記録部１０６へそれぞれ出力する。
【００５８】
出力部１０３は、具体的にはＭＰＥＧ２デコーダ１１０であって、スイッチ１０２から入力されたＭＰＥＧ２ストリーム形式にエンコードされたコンテンツをデコードし、ＮＴＳＣ信号に変換してテレビへ出力する。
格納情報記録部１０６は、内部にＩＤ取得部１１８、公開期日取得部１１９、および有効期限取得部１２０を含み、ＴＳデコーダ１０９によりＴＳから分離されたデータストリームから、ＩＤ取得部１１８によりコンテンツＩＤを取り出し、公開期日取得部１１９により公開期日を取り出し、有効期限取得部１２０により有効期限を取り出すことにより、図６のａに示す格納情報を取得する。図６は、格納情報記録部１０６により取得される格納情報のデータ構造と、格納情報の具体例とを示す図である。
【００５９】
また、格納情報記録部１０６は、コンテンツＩＤ、公開期日、および有効期限のうち、何れの情報を取得できたかを記録判断部１１１に通知し、さらに、当該記録判断部１１１からの記録指示を受けて、ハードディスク１０４へ格納情報を記録する。
要求部１０７は、要求生成部１２１、およびＣＡＴＶモデム１２２からなり、オンデマンド型サービスによるコンテンツの配信と、格納情報の送信とを、配信装置１２へ要求する。
【００６０】
再生動作時にハードディスク１０４にコンテンツの替わりに格納情報が記録されている場合、および、有効期限を監視している有効期限管理部１１７からの指示を受けた場合、要求生成部１２１は、図３のａに示す視聴要求メッセージを生成し、ＣＡＴＶモデム１２２は、生成された視聴要求メッセージをＣＡＴＶ網を介して配信装置１２へ送出する。
また、記録判断部１１１から格納情報の取得の指示を受た場合には、要求生成部１２１は、対象となる格納情報のコンテンツＩＤを取得し、図３のｂに示す付加情報取得メッセージを生成し、ＣＡＴＶモデム１２２は、生成された付加情報取得メッセージを出力信号に変換し、ＣＡＴＶ網を介して配信装置１２へ送出する。尚、対象となる格納情報のコンテンツＩＤの取得は、格納情報記録部１０６から直接取得するとしてもよいし、格納情報記録部１０６がハードディスク１０４に書き込んだコンテンツＩＤを読み出すとしてもよい。
【００６１】
ＣＰＵ１０５は、各機能ブロックを制御することにより、コンテンツの記録・再生を制御する。
ユーザ操作によりコンテンツの再生が指示された場合、ＣＰＵ１０５は、ユーザにより指定されたコンテンツをハードディスク１０４から取得するよう試み、ハードディスク１０４にＭＰＥＧ２ストリームが記録されている場合は、ＭＰＥＧ２ストリームの読み出しを指示し、スイッチ１０２、ＭＰＥＧ２デコーダ１１０を制御しコンテンツを再生させる。
【００６２】
ハードディスク１０４に、ＭＰＥＧ２ストリームが記録されておらず、代わりに格納情報が記録されていた場合は、格納情報を読み出し要求部１０７に出力するようにハードディスク１０４を制御し、要求部１０７にコンテンツの視聴要求メッセージの送信を指示するとともに、ＣＡＴＶチューナ１０８、およびＴＳデコーダ１０９を制御し、視聴要求メッセージに応じて送信されたＴＳからコンテンツのＭＰＥＧ２ストリームを取得し、スイッチ１０２、およびＭＰＥＧ２デコーダ１１０を制御してＭＰＥＧ２ストリームを再生させる。
【００６３】
ＣＰＵ１０５は、ＲＯＭ、ハードディスク等に記録されているコンピュータプログラムを読み出して実行することにより、記録判断部１１１、および期日管理部１１２の各機能ブロックの機能を実現し、コンテンツの記録を制御する。
記録判断部１１１は、内部に格納情報判定部１１３、公開判定部１１４、および容量判定部１１５を含み、ユーザ操作や、録画予約よりコンテンツの録画を指示された場合に、コンテンツおよび格納情報をハードディスク１０４へ記録するか否かを判断する機能ブロックであって、内部の備える格納情報判定部１１３、公開判定部１１４、および容量判定部１１５においてコンテンツを記録すると判断した場合には、スイッチ１０２を制御してコンテンツをハードディスク１０４へ記録させ、一方、格納情報を記録すると判断した場合には、格納情報をハードディスク１０４へ記録するよう格納情報記録部１０６へ指示する。
【００６４】
格納情報判定部１１３は、格納情報記録部１０６からコンテンツＩＤ、公開期日、および有効期限の何れの情報を取得できたかの通知を受け付け、コンテンツＩＤが取得できなかったとの通知を受けた場合には、コンテンツを記録すると判断する。また、コンテンツＩＤは取得できたが、公開期日、および有効期限の少なくとも一方が取得できなかったとの通知を受けた場合には、要求部１０７へ格納情報の取得を要求することを指示する。
【００６５】
容量判定部１１５は、格納情報判定部１１３においてコンテンツを記録すると判断されなかった場合に、コンテンツを記録するために要する容量と、ハードディスク１０４の空き容量とを比較し、ハードディスク１０４の空き容量の方が多い場合にはコンテンツを記録すると判断し、ハードディスク１０４の空き容量の方が少ない場合には格納情報を記録すると判断する。
【００６６】
尚、コンテンツの記録に要する容量は、録画予約された録画時間と、コンテンツのビットレートとを用いて判断するとしてもよいし、大まかな目安を用い、例えば、コンテンツが所謂ＨＤＴＶ（Ｈｉｇｈ  Ｄｅｆｉｎｉｔｉｏｎ  Ｔｅｓｌｖｉｓｉｏｎ）放送等の高画質な映像である場合は、１時間分のコンテンツを記録するために約５Ｇバイトの容量を要とすると判断してもよい。また、ユーザのボタン操作による録画であり、録画を継続する時間が不明である場合には、所定の時間（例えば２時間）分のコンテンツの記録に要する容量を比較に用いるとしてもよい。
【００６７】
公開判定部１１４は、容量判定部１１５において格納情報を記録すると判断された場合に、格納情報により示される公開期日と現在の日時とを比較し、公開期日が未だ到来していなければ、格納情報に加えて、コンテンツもハードディスク１０４に記録すると判断する。
期日管理部１１２は、公開期日管理部１１６と、有効期限管理部１１７とから構成されており、ハードディスク１０４へ格納情報が記録された場合に、格納情報により示される公開期日および有効期限に基づいて、いつでもコンテンツを視聴できるようにコンテンツおよび格納情報を管理する。
【００６８】
公開期日管理部１１６は、公開判定部１１４において公開期日が未だ到来していないと判断されたことによりコンテンツと当該コンテンツに対応する格納情報とが共にハードディスク１０４に記録されている場合に、日時を監視し公開期日が到来した時点で、前記コンテンツを消去するようにハードディスク１０４を制御する。
有効期限管理部１１７は、ハードディスク１０４にコンテンツを記録する代わりに格納情報が記録されている場合に、日時を監視し当該格納情報により示される有効期限よりも所定期間前（例えば有効期限が示す時点よりも、対象のコンテンツの転送に要する時間分前）に、当該格納情報により特定されるコンテンツの提供を要求するよう要求部１０７へ指示し、当該要求により配信されたコンテンツをハードディスク１０４へ記録するようにスイッチ１０２を制御する。
【００６９】
以上の構成により、記録装置のユーザは、放送日に受信したコンテンツの代わりに、当該コンテンツに付加された格納情報を記録し、その後、記録した格納情報を用いてオンデマンド配信を受けることで、同じコンテンツを後日視聴することができる。
従って、放送されたコンテンツをＭＰＥＧ２ストリームで記録する場合に比較して、ハードディスクの使用容量を大幅に削減し、記録可能なコンテンツの数を増やすことができる。また従来の記録装置を用いて記録できうるコンテンツと同じ数のコンテンツを記録可能でありながら、ハードディスクの記録容量を小さくすることができるので、記録装置の価格を下げることができるという効果も得られる。
【００７０】
また、本実施の形態１の記録装置は、放送日から公開期日までの間は、格納情報に加えてコンテンツも記録しているので、公開期日以前にコンテンツを視聴することができるうえに、公開期日以後はハードディスクからコンテンツを消去することにより、ハードディスクの使用容量を抑えることができる。
さらに、オンデマンド型サービスによるコンテンツの配信が終了する以前に、コンテンツの配信をうけハードディスクに記録することで、オンデマンド型サービスの終了によりコンテンツを視聴することが出来なくなることを避けることができる。
【００７１】
尚、本実施の形態１に係る放送記録システム１では、ＴＳにＭＰＥＧ２ストリームと格納情報とが一つずつ多重化されている例を示したが、ＴＳに複数のＭＰＥＧ２ストリームとそれぞれ対応する格納情報とが多重化されている場合に、複数の格納情報を記録するとしてもよい。
例えば、互いにリンクした複数のＭＰＥＧ２ストリームをＴＳに多重化した、所謂マルチビュー番組を録画する場合、従来の記録装置では、主となる１つのＭＰＥＧ２ストリームのみを録画対象として記録し、他のＭＰＥＧ２ストリームは記録せず、ヌルパケットを用いてパディングしていたため、これら記録されないＭＰＥＧ２ストリームを視聴することはできなかった。
【００７２】
本発明に係る記録装置では、複数のＭＰＥＧ２ストリームとそれぞれのＭＰＥＧ２ストリームに対応する格納情報とが多重化されたＴＳを受信し、主となる１つのＭＰＥＧ２ストリーム以外のＭＰＥＧ２ストリームは、従来ヌルパケットを用いてパディングしていた領域に、各ＭＰＥＧ２ストリームに対応する格納情報を記録することにより、マルチビュー番組の全ての映像を視聴することができる。
【００７３】
＜動作＞
次に、上述のように構成された放送記録システム１の動作の流れについて説明する。
１．４．コンテンツの放送
図７は、本発明の実施形態１に係る放送記録システム１において、放送型サービスによりコンテンツを放送する動作の流れを示す図である。
【００７４】
先ず、放送装置１１の配信確認部１６は、放送しようとするコンテンツを、オンデマンド型サービスにより提供されるか否かを確認するために、放送しようとするコンテンツの放送日及び放送時刻を配信装置１２の配信情報提示部２４に通知する（Ｓ１１）。
配信確認部１６から放送日及び放送時刻を受け付けた配信情報提示部２４は、配信コンテンツ蓄積部２３が保持する配信情報テーブルに、放送日時が一致する配信情報が登録されているかを検索する。配信情報テーブルに該当する配信情報が登録されていない場合（Ｓ１２：Ｎｏ）、対象のコンテンツがオンデマンド型サービスにより提供されないことを通知し（Ｓ１３）、該当する配信情報が登録されている場合（Ｓ１２：Ｙｅｓ）、当該配信情報のコンテンツＩＤ、公開期日、および有効期限を、配信確認部１６へ出力し、対象のコンテンツがオンデマンド型サービスにより提供されることを通知する（Ｓ１４）。
【００７５】
対象のコンテンツがオンデマンド型サービスにより提供されると通知された場合（Ｓ１５：Ｙｅｓ）、情報生成部１７は、配信確認部１６が配信情報提示部２４から受け付けたコンテンツＩＤ、公開期日、および有効期限から格納情報を生成し、多重化部１８は、生成された格納情報と、放送コンテンツ蓄積部１３に蓄積されている放送するコンテンツのＭＰＥＧ２ストリームとを多重化してＴＳを生成する（Ｓ１６）。ここで、既にコンテンツがオンデマンド型サービスにより提供されており公開期日が指定されていない場合や、公開の有効期限が指定されていない場合には、情報生成部１７は、図６のｃの公開期日に示すように、指定なしを示す値"０ｘＦＦＦＦＦＦＦＦＦＦＦＦ"を設定し、配信情報提示部２４から公開期日、および有効期限の正常な値が取得できなかった場合には、情報生成部１７は、図６のｃの有効期限に示すように、対応する項目に値を設定せずに格納情報を生成する。
【００７６】
一方、対象のコンテンツがオンデマンド型サービスにより提供されないと通知された場合（Ｓ１５：Ｎｏ）、多重化部１８は、放送コンテンツ蓄積部１３に蓄積されている放送するコンテンツのＭＰＥＧ２ストリームをＴＳ化する（Ｓ１７）。
送出部１５は、多重化部１８において生成されたＴＳを、放送スケジュールに従って定められた時間にＣＡＴＶ網へ送出する（Ｓ１８）。
【００７７】
以上の動作により、放送しようとするコンテンツと同じコンテンツがオンデマンド配信される場合に、当該コンテンツをオンデマンド配信可能なコンテンツ群から特定する格納情報を、放送しようとするコンテンツに付加して放送することができる。
１．５．記録装置３０における記録時の動作
次に、記録装置３０において、コンテンツを受信し、当該コンテンツを後日視聴するために、ハードディスクへ記録する動作を説明する。
【００７８】
図８は、本発明の実施形態１に係る放送記録システム１において、放送型サービスにより提供されたコンテンツを記録する動作の流れを示す図である。
ユーザのボタン操作や、録画予約によりコンテンツの録画が指示された場合（Ｓ２１）、ＣＡＴＶチューナ１０８は、ＣＡＴＶ網から受信した信号の中からユーザにより指定されたチャンネルのＴＳを抜き出し、ＴＳデコーダ１０９は、ＣＡＴＶチューナ１０８により選択されたＴＳから、多重化されているＭＰＥＧ２ストリームと、データストリームとを分離し、ＭＰＥＧ２ストリームをスイッチ１０２へ、データストリームを格納情報記録部１０６へそれぞれ出力する（Ｓ２２）。
【００７９】
格納情報記録部１０６は、ＴＳデコーダ１０９により分離されデータストリームからコンテンツＩＤ、公開期日、および有効期限の取得を試み、取得結果を記録判断部１１１へ通知する。
コンテンツＩＤを取得できなかったとの通知を、格納情報記録部１０６から受けた場合（Ｓ２３：Ｎｏ）、記録判断部１１１の格納情報判定部１１３は、コンテンツはオンデマンド型サービスで配信されないものと判断し、スイッチ１０２を制御して、ＭＰＥＧ２ストリームをハードディスク１０４へ記録させ（Ｓ２４）、コンテンツの記録動作を完了する。
【００８０】
コンテンツＩＤを取得できたとの通知を受けた場合、（Ｓ２３：Ｙｅｓ）、さらに、データストリームから公開期日および有効期限を取得できたか否かも、格納情報記録部１０６から通知をうける（Ｓ２５）。
格納情報記録部１０６において、例えば図６のｃに示すように有効期限が取得できない場合、記録判断部１１１は、公開期日および有効期限の何れかを取得できなかったとの通知を受る（Ｓ２５：Ｎｏ）。この場合、格納情報判定部１１３は、要求部１０７に格納情報の取得要求である付加情報取得メッセージの送信を指示する（Ｓ２６）。
【００８１】
要求部１０７から送信された付加情報取得メッセージに応じて、配信装置１２から、コンテンツＩＤで指定されたコンテンツの公開期日と有効期限を含むＴＳが送信され、当該ＴＳがＣＡＴＶチューナ１０８で受信され、ＴＳデコーダ１０９により、公開期日と有効期限を含むデータストリーム分離される。
データストリームからは、公開期日取得部１１９によって公開期日が取り出され、有効期限取得部１２０によって有効期限が取り出され、新たな格納情報が生成され、以降の処理が継続される（Ｓ２７）。
【００８２】
公開期日および有効期限が取得されたことを通知された場合（Ｓ２５：Ｙｅｓ）、記録判断部１１１内の容量判定部１１５は、記録対象のコンテンツをＭＰＥＧ２ストリームで記録するために要する容量と、ハードディスク１０４の空き容量とを比較し、ハードディスク１０４の空き容量の方が少ない場合（Ｓ３１：Ｎｏ）には、格納情報記録部１０６に格納情報の記録を指示する（Ｓ２８）。
【００８３】
逆に、ハードディスク１０４の空き容量の方が多い場合（Ｓ３１：Ｙｅｓ）には、スイッチ１０２を制御してＭＰＥＧ２ストリームをハードディスク１０４へ記録させる（Ｓ３２）。その後、記録しているコンテンツが所定の時間よりも長かったために、ＭＰＥＧ２ストリームの記録中にハードディスク１０４の残量がなくなった場合（Ｓ３３：Ｎｏ）、記録判断部１１１は、格納情報記録部１０６に格納情報の記録を指示する（Ｓ３４）。
【００８４】
以上の動作により、ＭＰＥＧ２ストリームの代わりにＴＳから取得した格納情報を記録することで、ハードディスク１０４の使用容量を低減することができる。
また、コンテンツを記録する場合に、ハードディスク１０４にＭＰＥＧ２ストリームを記録する残量がなくとも、ＭＰＥＧ２ストリームと比較してサイズが非常に小さい格納情報を記録し、後日、記録した格納情報を用いて、オンデマンド型サービスによりコンテンツの配信を受け視聴することができる。
【００８５】
また、コンテンツとハードディスク１０４にＭＰＥＧ２ストリームを記録する余裕がある場合には、ＭＰＥＧ２ストリームを記録することで、配信装置への視聴要求によるトラフィックを、軽減することができる。
また、放送型サービスによりコンテンツと共に取得した格納情報に、一部の情報（例えば公開期日・有効期限などの付加情報）が含まれていない場合にも、配信装置へ格納情報の配信を要求することにより、確実に格納情報を取得することができる。格納情報は配信装置のオンデマンド型サービスに用いるものであるので、格納情報を付加情報取得要求メッセージによってオンデマンドで取得する構成によって、配信装置のオンデマンド型サービスにおいて、コンテンツとその公開期日・有効期限など付加情報とを一元管理できる。
【００８６】
次に、記録装置３０において、コンテンツを記録する動作の他の例を説明する。
図８に示す動作の流れでは、ハードディスク１０４の容量に余裕がある場合はコンテンツをＭＰＥＧ２ストリームで記録し、ハードディスク１０４の容量に余裕がない場合に格納情報を記録する動作の流れを示したが、図９では、ハードディスク１０４の使用量を更に低減する動作について説明する。
【００８７】
図９は、本発明の実施形態１に係る放送記録システム１において、放送型サービスにより提供されたコンテンツを記録する動作の流れの他の例を示す図である。図９に示す動作の流れでは、図８に示す動作の流からＳ３１乃至Ｓ３４の動作を除き、Ｓ２９、Ｓ３０の動作を加えている。
以下に、図８に示す動作の流れと異なる動作について説明する。
【００８８】
Ｓ２５において、記録判断部１１１が、公開期日および有効期限を取得できたとの通知を受けた場合（Ｓ２５：Ｙｅｓ）、記録判断部１１１は、格納情報記録部１０６に指示して、格納情報をハードディスク１０４へ記録させる（Ｓ２８）。
さらに、格納情報を記録するときに、公開期日により示される時点が未だ到来していない場合は（Ｓ２９：Ｙｅｓ）、記録判断部１１１は、格納情報の記録指示に加えて、さらに、スイッチ１０２を制御してＭＰＥＧ２ストリームをハードディスク１０４へ記録させる（Ｓ３０）。
【００８９】
以上の動作により、記録装置３０は、コンテンツのＭＰＥＧ２ストリームと共に格納情報を取得できた場合には、常に格納情報を記録することができる。従って、ハードディスク１０４の記録容量を大幅に節約でき、記録可能なコンテンツの数を増やすことができる。
また、放送日から公開期日までに間があり、記録時にコンテンツがオンデマンド型サービスにより提供されていない場合は、格納情報に加えてコンテンツを記録することで、公開期日以前にもコンテンツを視聴することができる。
１．６．記録装置３０の記録管理動作
オンデマンド型サービスでは、常に同じコンテンツが提供されるとは限らない。そのため、ハードディスク１０４に記録したコンテンツをユーザが視聴するまでに期間があいた場合、コンテンツの記録時点と視聴時点とで、オンデマンド型サービスの提供内容がかわっておりコンテンツを視聴できなくなる恐れがある。本実施の形態の記録装置３０は、このような事態を避けるため、ハードディスク１０４に記録した格納情報を、公開期日および有効期限を元に管理している。
【００９０】
図１０は、本実施の形態１に係る記録装置３０における、記録したコンテンツを管理する動作の流れを示す図である。
以下に、記録装置３０における、記録したコンテンツを管理する動作について説明する。
期日管理部１１２は、の公開期日管理部１１６は、ハードディスク１０４に記録した格納情報の公開期日と、現在の日時とを比較し、公開期日が到来している場合（Ｓ４１：Ｙｅｓ）、ハードディスク１０４に記録されている当該格納情報と対応するＭＰＥＧ２ストリームを消去する（Ｓ４２）。
【００９１】
期日管理部１１２は、さらに、ハードディスク１０４に記録した格納情報の有効期限と、現在の日時を比較し、有効期限よりも所定期間前の時点（例えば有効期限が示す時点よりも、対象のコンテンツの転送に要する時間分前の時点）が到来した場合（Ｓ４３：Ｙｅｓ）、当該格納情報により特定されるコンテンツの提供を要求するよう要求部１０７へ指示し（Ｓ４４）、当該要求により配信されたＭＰＥＧ２ストリームをハードディスク１０４へ記録するようにＣＡＴＶチューナ１０８、ＴＳデコーダ１０９、およびスイッチ１０２を制御する（Ｓ４５）。
【００９２】
以上の動作により、コンテンツの公開期日前にＭＰＥＧ２ストリームと格納情報とを記録している場合に、公開期日後は、ＭＰＥＧ２ストリームを消去することができるので、ハードディスク１０４の使用量を削減することができる。
また、コンテンツの配信に有効期限がある場合でも、有効期限が満了する前に配信装置からコンテンツを取得しハードディスクへ記録することにより、ユーザが後の時刻にこの記録されたコンテンツを再生することで、ユーザは確実に所望するコンテンツを試聴することが出来る。
１．７．記録装置の再生動作
次に、本実施の形態の記録装置３０において、記録したコンテンツを視聴する動作を説明する。
【００９３】
図１１は、本実施の形態の記録装置３０において、記録したコンテンツを視聴する動作の流れを示す図である。
ユーザのボタン操作によりコンテンツの再生が指示された場合（Ｓ５１）、ＣＰＵ１０５は、ハードディスク１０４に再生対象のコンテンツのＭＰＥＧ２ストリームが記録されている場合は（Ｓ５２：Ｙｅｓ）、ＭＰＥＧ２ストリームを読み出させスイッチ１０２、および出力部１０３を介してテレビへ表示させる（Ｓ５３）。
【００９４】
ハードディスク１０４に再生対象のコンテンツのＭＰＥＧ２ストリームが記録されていない場合は（Ｓ５２：Ｎｏ）、要求部１０７は、当該格納情報により示されるコンテンツＩＤを用いて視聴要求メッセージ生成し、ＣＡＴＶ網を介して配信装置１２へ送信する（Ｓ５４）。その後、当該視聴要求メッセージに応じて、オンデマンド型サービスにより配しされたＭＰＥＧ２ストリームを受信し、スイッチ１０２、および出力部１０３を介してテレビへ表示させる（Ｓ５５）。
【００９５】
以上の動作により、本実施の形態の記録装置３０は、ハードディスク１０４にＭＰＥＧ２ストリームで記録している場合と、格納情報を記録している場合との何れの場合にも、コンテンツを後日再生することができる。
（実施の形態２）
＜概要＞
本実施の形態２に係る放送記録システム２では、地上波アナログ放送による放送型サービスと、インターネットを介したオンデマンド型サービスとが提供される放送記録システム２について説明する。
【００９６】
＜構成＞
２．１．システム構成
図１２は、本発明の実施の形態２に係る放送記録システム２の構成を示す図である。
放送記録システム２は、テレビ放送局４０、記録装置５０、コンテンツ配信センタ６０、およびコンテンツ配信センタ７０を含み、テレビ放送局４０により放送されるコンテンツを、記録装置５０において受信し記録することができる。また、テレビ放送局４０、記録装置５０、コンテンツ配信センタ６０、およびコンテンツ配信センタ７０は、インターネット等の通信回線により互いに接続されている。
【００９７】
テレビ放送局４０は、放送スケジュールに従って定められた時間帯にコンテンツをＮＴＳＣ方式で放送する。
コンテンツ配信センタ６０、および７０は、いわゆるＩＳＰ（インターネットサービスプロバイダ）等であって、放送型サービスにより放送されたコンテンツと同じコンテンツを蓄積しており、サービス契約を結んだユーザ宅の記録装置へ、インターネット回線を介し、オンデマンド型サービスにより蓄積したコンテンツを配信する。
【００９８】
記録装置５０は、テレビ放送局４０から放送型サービスにより放送されたコンテンツを受信、記録することができ、さらに、インターネットを介して、コンテンツ配信センタ６０および７０へコンテンツを配信すること要求し、提供を受けることができる。
２．２．テレビ放送局４０
以下にテレビ放送局４０の詳細な構成について説明する。
【００９９】
図１３は、本発明の実施の形態２に係るテレビ放送局４０、およびコンテンツ配信センタ６０の構成を示す図である。
テレビ放送局４０は、内部に放送コンテンツ蓄積部４１、付加部４２、および送信部４３を備え、放送スケジュールに従って定められた時間帯に、コンテンツをＮＴＳＣ方式で放送する。このときテレビ放送局４０は、放送するコンテンツと同じコンテンツをコンテンツ配信センタ６０および７０の何れかにより配信可能であるならば、インターネット上でのコンテンツの格納場所を示すＵＲＬ（Ｕｎｉｆｏｒｍ  Ｒｅｓｏｕｒｃｅ  Ｌｏｃａｔｏｒ）を含んだ格納情報を、放送波に重畳して放送する。
【０１００】
放送コンテンツ蓄積部４１は、放送型サービスにより放送するコンテンツを蓄積しており、放送時にコンテンツのＮＴＳＣ信号を出力する。
付加部４２は、内部に配信確認部４４、情報生成部４５、および重畳部４６の各機能ブロックを含み、放送するコンテンツと同じコンテンツがオンデマンド型サービスにより提供される場合、放送するコンテンツを伝送する放送波に、コンテンツに対応した格納情報を重畳する。
【０１０１】
配信確認部４４は、放送しようとするコンテンツの放送日時をコンテンツ配信センタ６０および７０に送信し、放送するコンテンツと同じコンテンツがオンデマンド型サービスにより配信可能であるか否かを示す通知を受ける。配信確認部４４は、配信情報提示部６３から配信可能であることを通知された場合、配信情報提示部６３から通知と共に、コンテンツの格納場所を示すＵＲＬと、コンテンツの解像度およびビットレートからなる品質情報とを取得し、これらの各情報を情報生成部４５へ出力する。
【０１０２】
情報生成部４５は、配信確認部４４から取得した情報を用いて図１４に示す格納情報を生成する。
重畳部４６は、放送するコンテンツと同じコンテンツがオンデマンド型サービスで提供される場合、送信部４３において放送するために放送コンテンツ蓄積部４１から出力されたＮＴＳＣ信号に、情報生成部４５において生成した格納情報を重畳する。
【０１０３】
送信部４３は、重畳部４６が出力したＮＴＳＣ信号を、放送スケジュールに従って定められた時間に送信する。
図１４は、本実施の形態２に係る格納情報と、当該格納情報が重畳されたＮＴＳＣ信号４０１のデータ構造を示す図である。
ＮＴＳＣ信号４０１は、１フレーム分のＮＴＳＣ信号であり、垂直帰線期間の一部にデータストリーム４０２が畳重されている。データストリーム４０２には、ＵＲＬ４０４、および品質情報４０５からなる格納情報と、データヘッダ４０３とが含まれる。
【０１０４】
ＵＲＬ４０４は、オンデマンド型サービスにより提供されるコンテンツのインターネット上での格納場所を示し、品質情報４０５は、オンデマンド型サービスにより提供されるコンテンツの解像度およびビットレートを示す情報である。
上述の格納情報は、コンテンツのフレーム毎に重畳されるため、コンテンツの放送中であれば、格納情報はいつでも取得することができる。
【０１０５】
尚、ＮＴＳＣ信号の垂直帰線期間へのデータストリームの畳重方法は文字放送等で用いられる公知の技術であるため、本明細書では詳細な説明を省略する。
以上の構成により、テレビ放送局４０は、放送するコンテンツと同じコンテンツがオンデマンド型サービスにより配信される場合は、コンテンツを伝送するＮＴＳＣ信号に、格納情報を重畳して放送することができる。
２．３．コンテンツ配信センタ６０
次に、コンテンツ配信センタ６０の詳細な構成について説明する。
【０１０６】
コンテンツ配信センタ６０は、コンテンツ配信部６１、配信コンテンツ蓄積部６２、配信情報提示部６３、移動情報保持部６４、および配信要求転送部６５から構成される。
コンテンツ配信センタ６０は、１つのコンテンツに対して解像度やビットレートなど映像品質の異なる複数のＭＰＥＧ２ストリームを用意し、配信先の記録装置が対応する解像度や、使用する回線のビットレートに応じた映像コンテンツを供給することができる。
【０１０７】
コンテンツ配信部６１は、記録装置５０から図１５に示す視聴要求パケットを受信し、当該視聴要求パケットに対応するコンテンツを、配信コンテンツ蓄積部６２から読み出し要求元へ配信する。視聴要求パケットに対応するコンテンツが配信コンテンツ蓄積部６２に蓄積されていない場合、配信要求転送部６５にその旨を通知する。
配信コンテンツ蓄積部６２は、オンデマンド型サービスにより配信可能なコンテンツを、ＭＰＥＧ２ストリーム形式で蓄積している大容量の記録装置である。配信コンテンツ蓄積部６２は、１つのコンテンツに対して解像度やビットレートなど映像品質の異なる複数のＭＰＥＧ２ストリームを蓄積している。配信コンテンツ蓄積部６２はさらに、蓄積しているコンテンツ毎に、放送日時と、ＵＲＬと、映像品質が最も優れたＭＰＥＧ２ストリームの品質情報とからなる配信情報を記憶している。
【０１０８】
配信情報提示部６３は、テレビ放送局４０から放送するコンテンツの放送日時を受け付け、配信コンテンツ蓄積部６２に記録されている配信情報の中から放送日時が一致する配信情報を検索する。該当する配信情報がある場合、当該配信情報に含まれるＵＲＬおよび品質情報を、テレビ放送局４０の配信確認部４４へ送信することにより、対象のコンテンツが配信対象であることを通知する。
【０１０９】
移動情報保持部６４は、コンテンツ配信センタ６０の管理者が、配信コンテンツ蓄積部６２の記録容量を確保する目的や、コンテンツ配信の有効期限が満了した等の理由で、蓄積しているコンテンツを他のコンテンツ配信センタ等へ移動させた場合に、移動先のＵＲＬを記録する記録装置である。移動情報保持部６４は、コンテンツ毎に、送信あるいは移動先であるコンテンツ配信センタ、あるいはコンテンツのコピーをキャッシュしたプロキシサーバのＵＲＬを保持する。
【０１１０】
配信要求転送部６５は、コンテンツ配信部６１からの通知を受けた場合に、要求されたコンテンツの移動先を移動情報保持部６４から検索し、検出した移動先のＵＲＬへインターネットを経由して視聴要求パケットを転送し、記録装置５０へコンテンツを配信するように要求する。
以上の構成により、コンテンツ配信センタ６０は、要求されたコンテンツを記録装置５０へ配信することができる。
【０１１１】
コンテンツ配信センタ７０は、コンテンツ配信センタ６０と同様の構成を備える。
２．４．記録装置５０
次に、記録装置５０の構成について説明する。
図１６は、本発明の実施の形態２に係る記録装置５０の構成を示す図である。
記録装置５０は、受信部２０１、スイッチ１０２、出力部１０３、ハードディスク１０４、ＣＰＵ１０５、格納情報記録部２０２、および要求部２０３から構成される。
【０１１２】
実施の形態１に係る記録装置３０と同様の構成要素には同一の符号を付し、それらの説明を省略する。
受信部２０１は、テレビ放送局４０、コンテンツ配信センタ６０、およびコンテンツ配信センタ７０から放送、および配信されたコンテンツを受信する機能ブロックであって、具体的にはテレビチューナ２０４、デマルチプレクサ２０５、ＭＰＥＧ２エンコーダ２０６、およびデモジュレータ２０７からなる。
【０１１３】
テレビチューナ２０４は、テレビ放送局４０により送信された放送波を受信し、ユーザが指定したチャンネルを同調・選択して、ＮＴＳＣ信号を出力する。
デマルチプレクサ２０５は、ＮＴＳＣ信号の垂直帰線期間からデータストリームを取り出し、格納情報記録部２０２へ出力する。
ＭＰＥＧ２エンコーダ２０６は、ＮＴＳＣ信号をＭＰＥＧ２勧告によって定められた所定の方法に従ってエンコードし、ＭＰＥＧ２ストリームに変換しスイッチ１０２へ出力する。
【０１１４】
デモジュレータ２０７は、インターネットの下り回線に接続されており、インターネットから受信した入力パケットの中からＭＰＥＧ２ストリームを取り出してスイッチ１０２へ出力する。
格納情報記録部２０２は、内部に、ＵＲＬ取得部２０８、および品質情報取得部２０９を含み、デマルチプレクサ２０５によりＮＴＳＣ信号から取得されたデータストリームから、ＵＲＬ取得部２０８によりコンテンツの格納場所を示すＵＲＬを取り出し、品質情報取得部２０９によりコンテンツの解像度とビットレートからなる品質情報を取り出すことにより格納情報を取得する。
【０１１５】
また、格納情報記録部２０２は、ＵＲＬおよび品質情報の何れの情報を取得できたかを記録判断部２１２に通知し、さらに、当該記録判断部２１２からの記録指示を受けて、ハードディスク１０４へ格納情報を記録する。
要求部２０３は、要求生成部２１０、モジュレータ２１１からなり、オンデマンド型サービスによるコンテンツの配信を、コンテンツ配信センタ６０へ要求する。
【０１１６】
要求部２０３が、品質情報により示される解像度やビットレートに基づいて、自装置の対応する解像度やビットレートに応じたコンテンツの配信を要求することにより、コマ落ちや再生速度の乱れといった悪影響のない視聴が可能になるばかりでなく、ユーザはテレビ放送よりもより高ビットレートで高品質なコンテンツを試聴することも可能となる。
再生動作時にハードディスク１０４にコンテンツの替わりに格納情報が記録されている場合、要求生成部２１０は、ＣＰＵ１０５の指示に従って、ハードディスク１０４から読み出した格納情報、当該記録装置５０が対応する解像度、およびビットレート等を反映し、図１５に示す視聴要求パケットを生成し、モジュレータ２１１に出力する。
【０１１７】
モジュレータ２１１は、生成された視聴要求パケットをインターネットに送信できるように出力パケットに変換しインターネットの上り回線へ出力する。
ＣＰＵ１０５は、実施の形態１と同様の制御によりコンテンツの再生を制御する。
また、ＣＰＵ１０５は、ＲＯＭ、ハードディスク等に記録されているコンピュータプログラムを読み出して実行することにより、記録判断部２１２の機能を実現し、コンテンツの記録を制御する。
【０１１８】
記録判断部２１２は、内部に格納情報判定部２１３、品質判定部２１４、容量判定部２１５を含み、ユーザ操作や、録画予約によりコンテンツの録画を指示された場合に、コンテンツおよび格納情報をハードディスク１０４へ記録するか否かを判断する機能ブロックであって、内部に備える格納情報判定部２１３、品質判定部２１４、および容量判定部２１５においてコンテンツを記録すると判断された場合には、スイッチ１０２を制御してコンテンツをハードディスク１０４へ記録させ、一方、格納情報を記録すると判断された場合には、格納情報をハードディスク１０４へ記録するよう格納情報記録部２０２へ指示する。
【０１１９】
格納情報判定部２１３は、格納情報記録部２０２からＵＲＬ、および品質情報の何れの情報を取得できたかの通知を受け付け、ＵＲＬが取得できなかったとの通知を受けた場合には、コンテンツを記録すると判断する。
容量判定部２１５は、実施の形態１の容量判定部１１５と同様の機能を備える機能ブロックである。
【０１２０】
品質判定部２１４は、容量判定部２１５においてコンテンツを記録すると判断された場合に、受信したコンテンツ（本実施の形態２においてはＮＴＳＣ信号をエンコードしたＭＰＥＧ２ストリーム）の映像品質と、品質情報により示される映像品質とを比較し、品質情報により示される映像品質の方が優れる場合に、記録する対象を格納情報に変更する。
以上の構成により、記録装置のユーザは、ハードディスク１０４にコンテンツを記録できる容量がない場合にも、放送型サービスにより受信したコンテンツを記録する代わりに格納情報を記録することにより、格納情報を用いてオンデマンド配信を受け、同じコンテンツを後日視聴することができる。
【０１２１】
従って、放送されたコンテンツを記録する場合に比較して、ハードディスクの使用容量を大幅に削減することができる。
また、
放送型サービスによりコンテンツと共に取得する格納情報に基づいて、放送型サービスにより放送されるコンテンツと、オンデマンド型サービスにより配信されるコンテンツとの映像品質の優劣を比較し、映像品質の優れた側を記録対象とすることができる。
【０１２２】
従って、より映像品質の優れたコンテンツを視聴することができる。
さらに、録画予約等により、同時間帯に放送される複数コンテンツの録画が指示される場合、ＣＰＵ１０５は、各機能ブロックを制御し、テレビチューナ２０４に１番目のコンテンツを放送するチャンネルを選局させてＮＴＳＣ信号を取得させ、格納情報記録部２０２にＮＴＳＣ信号から格納情報を取得させてハードディスク１０４へ記録させる。その後、ＣＰＵ１０５は、さらに、テレビチューナ２０４に２番目のコンテンツを放送するチャンネルを選局させてＮＴＳＣ信号を取得させ、格納情報記録部２０２にＮＴＳＣ信号から格納情報を取得させてハードディスク１０４へ記録させるように制御する。さらに、３番目以降のコンテンツに関しても同様に制御し格納情報を記録する。
【０１２３】
このようにして、同一の時刻に複数のコンテンツの録画を要求される場合、ＭＰＥＧ２ストリームの代わりに各コンテンツの格納情報のみを順次記録することで、すべてのコンテンツのを後日視聴することが可能となる。
＜動作＞
次に、上述のように構成された放送記録システム２の動作の流れについて説明する。
２．５．記録装置５０における記録時の動作
記録装置５０において、コンテンツを受信し、当該コンテンツを後日視聴するために、ハードディスクへ記録する動作を説明する。
【０１２４】
図１７は、本発明の実施形態２に係る放送記録システム２において、放送型サービスにより提供されたコンテンツを記録する動作の流れを示す図である。
ユーザのボタン操作や、録画予約によりコンテンツの録画が指示された場合（Ｓ６１）、テレビチューナ２０４は、アンテナで受信した信号の中からユーザにより指定されたチャンネルのＮＴＳＣ信号を選択しデマルチプレクサ２０５、およびＭＰＥＧ２エンコーダ２０６へ出力する（Ｓ６２）。
【０１２５】
ＭＰＥＧ２エンコーダ２０６は、映像および音声をＮＴＳＣ信号から取得し、ＭＰＥＧ２ストリームに変換してスイッチ１０２へ出力する。
デマルチプレクサ２０５は、ＮＴＳＣ信号の垂直帰線期間に畳重されているデータストリームを分離し、格納情報記録部２０２へ出力する。格納情報記録部２０２は、内部に備えるＵＲＬ取得部２０８、および品質情報取得部２０９により、ＵＲＬと品質情報との取得を試み、取得結果を記録判断部２１２へ通知する。
【０１２６】
ＵＲＬを取得できなかったとの通知を、格納情報記録部２０２から受けた場合（Ｓ６３：Ｎｏ）、記録判断部２１２の格納情報判定部２１３は、コンテンツがオンデマンド型サービスで配信されないものと判断し、スイッチ１０２を制御して、ＭＰＥＧ２ストリームをハードディスク１０４へ記録させ（Ｓ６４）、コンテンツの記録動作を完了する。
ＵＲＬを取得できたとの通知を受けた場合（Ｓ６３：Ｙｅｓ）、記録判断部２１２内の容量判定部２１５は、さらに、記録対象のコンテンツをＭＰＥＧ２ストリームで記録するために要する容量と、ハードディスク１０４の空き容量とを比較し、ハードディスク１０４の空き容量の方が少ない場合（Ｓ６５：Ｎｏ）には、格納情報記録部２０２に格納情報の記録を指示し、記録動作を終了する（Ｓ６６）。
【０１２７】
逆に、ハードディスク１０４の空き容量の方が多い場合（Ｓ６５：Ｙｅｓ）には、記録判断部２１２内の品質判定部２１４が、受信したＮＴＳＣ信号をエンコードしたＭＰＥＧ２ストリームの映像品質と、品質情報により示される映像品質とを比較する（Ｓ６７）。
品質情報により示される映像品質の方が優れる場合（Ｓ６７：Ｎｏ）、品質判定部２１４は、格納情報記録部２０２に指示してハードディスク１０４に格納情報を記録させ（Ｓ６６）、記録動作を終了する。
【０１２８】
ＮＴＳＣ信号をエンコードしたＭＰＥＧ２ストリームの映像品質の方が優れる場合（Ｓ６７：Ｙｅｓ）、スイッチ１０２を制御してＭＰＥＧ２ストリームをハードディスク１０４へ記録させる（Ｓ６８）。その後、記録しているコンテンツが所定の時間よりも長かったために、ＭＰＥＧ２ストリームの記録中にハードディスク１０４の残量がなくなった場合（Ｓ６９：Ｎｏ）、記録判断部２１２は、格納情報記録部２０２に格納情報の記録を指示する（Ｓ７０）。
【０１２９】
以上の動作により、記録装置５０のユーザは、コンテンツを記録する場合に、ハードディスク１０４にＭＰＥＧ２ストリームを記録する残量がなくとも、ＭＰＥＧ２ストリームの代わりにＮＴＳＣ信号から取得した格納情報を記録し、後日コンテンツをオンデマンド型サービスにより配信を受け視聴することができる。
また、録画予約等によりコンテンツの録画時間を特定できる場合には、録画前にコンテンツを記録するために要する容量と、ハードディスク１０４の空き容量とを比較することで、コンテンツの録画中にハードディスク１０４の残り容量が不足することにより、コンテンツを途中までしか記録できないという不具合を回避できる。
【０１３０】
さらに、録画前にコンテンツの録画時間を特定できず、コンテンツの録画中にハードディスク１０４の残り容量が不足した場合にも、コンテンツに比較してサイズが非常に小さい格納情報を記録することで、後日コンテンツをオンデマンド型サービスにより配信を受け視聴することができ、コンテンツを最後まで視聴できなくなるという事態を避けることができる。
【０１３１】
また、放送型サービスによりコンテンツと共に取得できる格納情報を用いて、放送型サービスと、オンデマンド型サービスとにより配信されるコンテンツの映像品質を比較できるので、放送型サービスにより放送されるコンテンツの映像品質情報がより優れる場合は、受信した放送波から得られるコンテンツを記録し、オンデマンド型サービスにより配信されるコンテンツの映像品質がより優れる場合は、受信した放送波から得られる格納情報を記録することで、放送されるコンテンツ、および配信されるコンテンツのうち、より映像品質の優れた側を後日視聴することができる。
２．６．コンテンツ配信センタ６０、および７０における配信の動作
次に、コンテンツ配信センタ６０、および７０によりコンテンツを配信する動作を説明する。
【０１３２】
図１８は、本発明の実施形態２に係る放送記録システム２において、オンデマンド型サービスによりコンテンツを提供する動作の流れを示す図である。
記録装置５０から送信された視聴要求パケットは、インターネットを経由して、ＵＲＬの指定先であるコンテンツ配信センタ６０へ届けられる（Ｓ７１）。
視聴要求パケットを受け付けたコンテンツ配信センタ６０では、コンテンツ配信部６１が、配信コンテンツ蓄積部６２に蓄積されているＭＰＥＧ２ストリームの中から、視聴要求パケットに含まれるＵＲＬにより指定されるコンテンツのＭＰＥＧ２ストリームを検索する。
【０１３３】
配信コンテンツ蓄積部６２に、指定のコンテンツのＭＰＥＧ２ストリームが蓄積されている場合（Ｓ７２：Ｙｅｓ）、コンテンツ配信部６１は、指定のコンテンツのＭＰＥＧ２ストリームを、配信コンテンツ蓄積部６２から取得し、インターネットを経由して、記録装置５０へ送信する（Ｓ７３）。
コンテンツ配信センタ６０の管理者が、配信コンテンツ蓄積部６２の記録容量を確保する目的等で、蓄積しているコンテンツを他のコンテンツ配信センタ（例えばコンテンツ配信センタ７０）へ移動させたなどの理由により、配信コンテンツ蓄積部６２に、指定のコンテンツのＭＰＥＧ２ストリームが蓄積されていない場合（Ｓ７２：Ｎｏ）、コンテンツ配信部６１は、指定のコンテンツのＭＰＥＧ２ストリームを取得できなかったことを配信要求転送部６５へ通知する。
【０１３４】
通知を受けた配信要求転送部６５は、
指定のコンテンツを過去に移動した移動先が、移動情報保持部６４に保持されているか否かを検索し、検出されなかた場合（Ｓ７４：Ｎｏ）、視聴要求パケットの送信元である記録装置５０へコンテンツを配信出来ないことを通知する（Ｓ７５）。
指定のコンテンツの移動先を移動情報保持部６４の記録から検出した場合は（Ｓ７４：Ｙｅｓ）、配信要求転送部６５は、検出した移動先（例えばコンテンツ配信センタ７０）のＵＲＬへインターネットを経由して視聴要求パケットを転送し、記録装置５０へコンテンツを配信するように要求する（Ｓ７６）。
【０１３５】
コンテンツ配信センタ７０において視聴要求パケットの転送を受け付けると（Ｓ７７）、コンテンツ配信センタ７０コンテンツ配信部は、視聴要求パケットにより指定されるコンテンツのＭＰＥＧ２ストリームを配信コンテンツ蓄積部６２から取得し、要求元の記録装置５０へ送信する（Ｓ７８）。
以上の動作より、コンテンツ配信センタは、記録装置から要求されたコンテンツを蓄積していない場合にも、コンテンツを提供することができる。
【０１３６】
従って、記録装置がコンテンツのＭＰＥＧ２ストリームの代わりに格納情報のみを記録しており、記録装置が直接配信を要求したコンテンツ配信センタにも要求されたコンテンツを既に蓄積していない場合にも、記録装置のユーザはコンテンツを確実に取得し、試聴することが出来る。
尚、視聴要求パケットの転送を受けたコンテンツ配信センタ７０において、コンテンツ配信センタ６０における処理（蓄積しているコンテンツの有無の確認、およびコンテンツ移動先の検索）と同様の処理を実行し、さらに他のコンテンツ配信センタへ視聴要求パケットを転送するとしてもよい。
３．その他の変形例
本発明を上記の実施の形態１、および２に基づいて説明してきたが、本発明は、上記の実施の形態に限定されないのはもちろんである。以下のような場合も本発明に含まれる。
【０１３７】
（１）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１３８】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１３９】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（２）本発明に係る格納情報は、実施の形態１、２において説明したデータ構造に限定されるものではなく、オンデマンド型サービスにおいてコンテンツを一意に特定できる情報であれば、他のデータ構造であってもよい。
【０１４０】
例えば、格納情報は、コンテンツを放送したチャンネルと、放送日時とにより、コンテンツを特定するとしてもよい。この場合、放送局のチャンネルおよびコンテンツの放送日時と、配信するコンテンツとを一意に対応付けたテーブルを配信装置において保持し、記録装置から、対象のコンテンツを放送したチャンネルと放送日時とを用いて、コンテンツの配信を要求することができる。
【０１４１】
（３）本発明に係る放送装置は、ＣＡＴＶ放送、地上波アナログ放送に限らず他の方式によりコンテンツを放送するとしてもよい。例えば、放送装置は、地上波デジタル放送、ＢＳ放送、ＢＳデジタル放送、ＣＳ放送等によりコンテンツを放送するとしてもよい。
（４）本発明における、格納情報のコンテンツへの付加方法は、ＭＰＥＧ２により規定されるＴＳへのデータストリームの多重化、および垂直帰線期間を用いたアナログ放送波への重畳に限定されないのは勿論であり、他の方法を用いて、コンテンツと格納情報とを共に放送してもよい。例えば、デジタル放送においてデータ放送に用いられるデータカルーセル方式により、格納情報をＴＳに多重化するとしてもよい。
【０１４２】
（５）上記実施の形態では、コンテンツを符号化したＭＰＥＧ２ストリームと、格納情報とは、共にハードディスクディスクに記録するとしたが、ＭＰＥＧ２ストリームと、格納情報とは、必ずしも同じ記録メディアに記録する必要はない。例えば、格納情報を、ＲＡＭ等の他の記録メディアに記録するものとしてもよい。
（６）上記実施の形態では、放送、配信、記録等においてコンテンツの符号化方式としてＭＰＥＧ２に規定される方式を用いるとしたが、本発明に係る放送記録システムにおいて用いる符号化方式は、必ずしもＭＰＥＧ２に規定される方式である必要はなく、例えば、ＭＰＥＧ４、Ｈ．２６３、Ｈ．２６４等に規定される他の符号化方式を用いるとしてもよい。
【０１４３】
（７）本発明に係る記録装置は、放送途中のコンテンツに付加されている格納情報を取得し、配信装置へ取得した格納情報により特定されるコンテンツの配信を要求し、要求に応じて配信装置から配信されたコンテンツを先頭から再生するとしてもよい。
これによって、記録装置のユーザは、コンテンツの放送途中で記録の開始を指示した場合にも、コンテンツを先頭から再生することができる。
【０１４４】
（８）  本発明に係る記録装置は、さらに、放送により取得したコンテンツの記録を制限する制限手段を備え、配信装置は、放送されたコンテンツと同様の内容で、映像品質の劣るコンテンツを配信するとしてもよい。
これによって、例えば高画質なデジタル放送により放送されたコンテンツが記録され、無制限に複製されることを防ぐことができる。
【０１４５】
（９）本発明は、上記実施の形態及び上記変形例をそれぞれ組み合わせるとしてもよい。
【産業上の利用可能性】
【０１４６】
本発明に係る、放送記録システムは、放送されたコンテンツの記録に要する記録メディアの使用量を低減する効果を有し、
放送されたコンテンツを記録するハードディスクレコーダ等に有用である。
【図面の簡単な説明】
【０１４７】
【図１】本発明の実施の形態１に係る放送記録システム１の構成を示す図。
【図２】本実施の形態１に係る格納情報と、当該格納情報が多重化されたＴＳ３００のデータ構造を示す図。
【図３】要求生成部１２１が生成する、メッセージのデータ構造を示す図。
【図４】配信コンテンツ蓄積部２３が保持する配信情報テーブルのデータ構造を示す図。
【図５】本発明の実施の形態１に係る記録装置３０の構成を示す図。
【図６】格納情報記録部１０６により取得される格納情報のデータ構造と、格納情報の具体例とを示す図。
【図７】本発明の実施形態１に係る放送記録システム１において、放送型サービスによりコンテンツを放送する動作の流れを示す図。
【図８】本発明の実施形態１に係る放送記録システム１において、放送型サービスにより提供されたコンテンツを記録する動作の流れを示す図。
【図９】本発明の実施形態１に係る放送記録システム１において、放送型サービスにより提供されたコンテンツを記録する動作の流れの他の例を示す図。
【図１０】本実施の形態１に係る記録装置３０における、記録したコンテンツを管理する動作の流れを示す図。
【図１１】本実施の形態の記録装置３０において、記録したコンテンツを視聴する動作の流れを示す図。
【図１２】本発明の実施の形態２に係る放送記録システム２を示す図。
【図１３】本発明の実施の形態２に係るテレビ放送局４０、およびコンテンツ配信センタ６０の構成を示す図。
【図１４】本実施の形態２に係る格納情報と、当該格納情報が重畳されたＮＴＳＣ信号４０１のデータ構造とを示す図。
【図１５】要求生成部２１０が生成する、パケットの詳細を示す図。
【図１６】本発明の実施の形態２に係る記録装置５０の構成を示す図。
【図１７】本発明の実施形態２に係る放送記録システム２において、放送型サービスにより提供されたコンテンツを記録する動作の流れを示す図。
【図１８】本発明の実施形態２に係る放送記録システム２において、オンデマンド型サービスによりコンテンツを提供する動作の流れを示す図。
【図１９】従来の記録装置の構成を示す図。
【符号の説明】
【０１４８】
１    放送記録システム
２    放送記録システム
１０    放送局
１１    放送装置
１２    配信装置
１３    放送コンテンツ蓄積部
１４    付加部
１５    送出部
１６    配信確認部
１７    情報生成部
１８    多重化部
２１    コンテンツ配信部
２２    格納情報配信部
２３    配信コンテンツ蓄積部
２４    配信情報提示部
３０    記録装置
４０    テレビ放送局
４１    放送コンテンツ蓄積部
４２    付加部
４３    送信部
４４    配信確認部
４５    情報生成部
４６    重畳部
５０    記録装置
６０    コンテンツ配信センタ
６１    コンテンツ配信部
６２    配信コンテンツ蓄積部
６３    配信情報提示部
６４    移動情報保持部
６５    配信要求転送部
７０    コンテンツ配信センタ
１００    記録装置
１０１    受信部
１０２    スイッチ
１０３    出力部
１０４    ハードディスク
１０５    ＣＰＵ
１０６    格納情報記録部
１０７    要求部
１０８    ＣＡＴＶチューナ
１０９    ＴＳデコーダ
１１０    ＭＰＥＧ２デコーダ
１１１    記録判断部
１１２    期日管理部
１１３    格納情報判定部
１１４    公開判定部
１１５    容量判定部
１１６    公開期日管理部
１１７    有効期限管理部
１１８    ＩＤ取得部
１１９    公開期日取得部
１２０    有効期限取得部
１２１    要求生成部
１２２    ＣＡＴＶモデム
２０１    受信部
２０２    格納情報記録部
２０３    要求部
２０４    テレビチューナ
２０５    デマルチプレクサ
２０６    エンコーダ
２０７    デモジュレータ
２０８    ＵＲＬ取得部
２０９    品質情報取得部
２１０    要求生成部
２１１    モジュレータ
２１２    記録判断部
２１３    格納情報判定部
２１４    品質判定部
２１５    容量判定部
３００    ＴＳ
３０１    ＭＰＥＧ２−ＴＳヘッダ
３０２    データストリーム
３０３    ＭＰＥＧ２ストリーム
３０４    データヘッダ
３０５    コンテンツＩＤ
３０６    公開期日情報
３０７    有効期限情報
４０１    ＮＴＳＣ信号
４０２    データストリーム
４０３    データヘッダ
４０４    ＵＲＬ
４０５    品質情報
【図１】
2004159318.tif 000003
【図２】
2004159318.tif 000004
【図３】
2004159318.tif 000005
【図４】
2004159318.tif 000006
【図５】
2004159318.tif 000007
【図６】
2004159318.tif 000008
【図７】
2004159318.tif 000009
【図８】
2004159318.tif 000010
【図９】
2004159318.tif 000011
【図１０】
2004159318.tif 000012
【図１１】
2004159318.tif 000013
【図１２】
2004159318.tif 000014
【図１３】
2004159318.tif 000015
【図１４】
2004159318.tif 000016
【図１５】
2004159318.tif 000017
【図１６】
2004159318.tif 000018
【図１７】
2004159318.tif 000019
【図１８】
2004159318.tif 000020
【図１９】
2004159318.tif 000021